(57)【要約】【課題】混合調節弁が略リニアな混合特性を有していない場合であっても、給湯設定温度の温水を安定して出湯することができる給湯システムを提供する。【解決手段】太陽熱によって生成された予熱温水を貯留する蓄熱槽１４を有する太陽熱利用温水器１０と、蓄熱槽１４から送出される予熱温水と低温水とを必要に応じて混合しながら熱交換器２２に送出する混合調節弁２１を有する給湯器２０とを備えており、混合調節弁２１は、開弁するに従って予熱温水に対する低温水の混合比率が小さくなるようになっている。混合調節弁２１は、混合比率及び目標混合比率を算出しながら、その目標混合比率になるように弁開度が制御されるようになっており、最大開度まで開弁した時点で、そのときの混合比率が予め定められた最低混合比率を下回っている場合は、その最低混合比率になるまで、強制的に閉弁させるようにした。【選択図】　　　　図１
2004037053.tif 000002
【特許請求の範囲】
【請求項１】
補助熱源によって生成された予熱温水に、必要に応じて低温水を混合しながら、目標温度の温水を給湯器の熱交換器に送出する混合調節弁を備えた給湯システムにおいて、
前記混合調節弁は、開弁するに従って予熱温水に対する低温水の混合比率が小さくなり、閉弁するに従って予熱温水に対する低温水の混合比率が大きくなるようになっており、
前記混合調節弁は、制御タイミング毎に、その時点における予熱温水温度、低温水温度及び前記混合調節弁から送出されている温水の温度に基づいて、その時点における予熱温水に対する低温水の混合比率を算出すると共に、その時点における予熱温水温度、低温水温度及び目標温度に基づいて、その時点における予熱温水に対する低温水の目標混合比率を算出しながら、その目標混合比率になるように弁開度が制御されるようになっており、
前記混合調節弁が最大開度まで開弁した時点で、そのときの予熱温水に対する低温水の混合比率が予め定められた最低混合比率を下回っている場合は、その最低混合比率になるまで、前記混合調節弁を強制的に閉弁するようにしたことを特徴とする給湯システム。
【請求項２】
補助熱源によって生成された予熱温水に、必要に応じて低温水を混合しながら、目標温度の温水を給湯器の熱交換器に送出する混合調節弁を備えた給湯システムにおいて、
前記混合調節弁は、開弁するに従って予熱温水に対する低温水の混合比率が小さくなり、閉弁するに従って予熱温水に対する低温水の混合比率が大きくなるようになっており、
前記混合調節弁は、制御タイミング毎に、その時点における予熱温水温度、低温水温度及び前記混合調節弁から送出されている温水の温度に基づいて、その時点における予熱温水に対する低温水の混合比率を算出すると共に、その時点における予熱温水温度、低温水温度及び目標温度に基づいて、その時点における予熱温水に対する低温水の目標混合比率を算出しながら、その目標混合比率になるように弁開度が制御されるようになっており、
算出された目標混合比率が予め定められた最低混合比率を下回っている場合は、目標混合比率を最低混合比率に設定するようにしたことを特徴とする給湯システム。
【発明の詳細な説明】
【０００１】
【発明の属する技術分野】
この発明は、補助熱源によって生成された予熱温水を利用して給湯を行う給湯システムに関する。
【０００２】
【従来の技術】
補助熱源を利用した給湯システムとしては、例えば、補助熱源である太陽熱を利用して生成された予熱温水を貯留する蓄熱槽を備えている太陽熱利用温水器と、主熱源である給湯器とを組み合わせた給湯システムが従来から一般的に知られている。
【０００３】
こういった、給湯システムでは、太陽熱利用温水器の蓄熱槽と給湯器とが接続されており、出湯時には、太陽熱利用温水器の蓄熱槽に貯留された予熱温水が給湯器に送出されるようになっているが、蓄熱槽から送出される予熱温水をそのままの状態で熱交換器に送出するのではなく、必要に応じて、低温水（常水温の水道水または予熱温水より低い温度の水）を混合した状態で熱交換器に送出することができるように、蓄熱槽から送出される予熱温水と低温水とを任意の混合比率で混合するための混合調節弁が熱交換器の上流側に内蔵された給湯器を使用する場合があり、混合調節弁は、開弁するに従って予熱温水に対する低温水の混合比率が小さくなり、閉弁するに従って予熱温水に対する低温水の混合比率が大きくなるようになっている。
【０００４】
こういった混合調節弁が内蔵された給湯器を使用した給湯システムでは、給湯器に対して設定された給湯設定温度以上の予熱温水が蓄熱槽に貯留されている場合は、混合調節弁が、蓄熱槽から送出される給湯設定温度以上の予熱温水と低温水とを適宜混合することによって給湯設定温度の温水を生成し、これを熱交換器に送出することによって、熱交換器を加熱するバーナーを燃焼させることなく、給湯設定温度の温水を出湯することになる。一方、給湯設定温度以上の予熱温水が蓄熱槽に貯留されていない場合は、混合調節弁が、蓄熱槽から送出される給湯設定温度より低い予熱温水を低温水と適宜混合することによって予め定められた固定温度まで下げた状態で熱交換器に送出し、バーナーを燃焼させて熱交換器を加熱することによって、給湯設定温度の温水を生成しながら出湯することになる。
【０００５】
【発明が解決しようとする課題】
ところで、こういった給湯システムでは、良好な制御性を確保するため、低温水の供給圧と予熱温水の供給圧とが略同圧である場合に、図２に実線で示すように、予熱温水に対する低温水の混合比率が弁開度に対して略リニアに変化する混合特性を示す混合調節弁が使用されており、しかも、こういった給湯システムでは、制御タイミング毎に、その時点における予熱温水温度、低温水温度及び混合調節弁から送出される温水の温度に基づいて、その時点における混合比率を算出しているので、混合調節弁が最大開度まで開弁した状態においても、その状態での混合比率を算出することができるように、即ち、予熱温水温度と混合調節弁から送出される温水の温度との間に僅かな温度差が生じるように、低温水の供給圧と予熱温水の供給圧とが略同圧である場合の混合特性を前提として、最大開度時における最低混合比率が予め定められている。従って、低温水の供給圧と予熱温水の供給圧とが略同圧である状態で、給湯システムが使用される場合は、良好な制御性が確保されると共に、混合調節弁が最大開度まで開弁した状態であっても、そのときの混合比率が最低混合比率を下回ることはない。
【０００６】
しかしながら、実際は、低温水の供給圧と予熱温水の供給圧とが略同圧であるとは限らず、例えば、予熱温水の供給圧が低温水の供給圧よりも高い場合は、図２に一点鎖線で示すように、最大開度側において、弁開度の変化率に対する混合比率の変化率が小さく、しかも、最大開度まで開弁する前に最低混合比率を下回ってしまうような混合特性に変化してしまう場合があり、そのような場合は、以下に示すような問題が発生する。
【０００７】
例えば、蓄熱槽には、固定温度以上で給湯設定温度を下回る予熱温水が貯留されているが、蓄熱槽と給湯器とを接続する配管内に滞留している予熱温水の温度が固定温度以下に低下しているような状態で給湯を開始した場合、給湯開始当初は配管内に滞留していた固定温度以下の予熱温水が給湯器の混合調節弁に送出されるため、混合調節弁は固定温度の温水を生成しようとして最大開度まで開弁しているが、配管内に滞留していた固定温度以下の予熱温水が送出され終わって、蓄熱槽内に貯留されている固定温度を上回る予熱温水が送出されるようになると、混合調節弁は低温水を混合することによって固定温度の温水を生成しようとして閉弁し始める。
【０００８】
しかしながら、モータによる混合調節弁の開閉駆動速度が遅いために、上述したように、最大開度側において、弁開度の変化率に対する混合比率の変化率が小さく、しかも、最大開度まで開弁する前に最低混合比率を下回ってしまうような混合特性に変化している場合は、混合調節弁の閉弁動作が混合調節弁に送出される温水の急激な温度変化に追従できず、目標混合比率に到達するまでにある程度の時間がかかってしまい、その間は固定温度を上回る温水が熱交換器に送出されることになるので、バーナーが燃焼することによって給湯設定温度の温水を送出している給湯器が出湯温度制御を確実に行うことができなくなり、一時的に出湯温度が高くなってしまうという問題がある。
【０００９】
そこで、この発明の課題は、混合調節弁が略リニアな混合特性を有していない場合であっても、給湯設定温度の温水を安定して出湯することができる給湯システムを提供することにある。
【００１０】
【課題を解決するための手段及びその効果】
上記の課題を解決するため、請求項１にかかる発明は、補助熱源によって生成された予熱温水に、必要に応じて低温水を混合しながら、目標温度の温水を給湯器の熱交換器に送出する混合調節弁を備えた給湯システムにおいて、前記混合調節弁は、開弁するに従って予熱温水に対する低温水の混合比率が小さくなり、閉弁するに従って予熱温水に対する低温水の混合比率が大きくなるようになっており、前記混合調節弁は、制御タイミング毎に、その時点における予熱温水温度、低温水温度及び前記混合調節弁から送出されている温水の温度に基づいて、予熱温水に対する低温水の混合比率を算出すると共に、その時点における予熱温水温度、低温水温度及び目標温度に基づいて、予熱温水に対する低温水の目標混合比率を算出しながら、その目標混合比率になるように弁開度が制御されるようになっており、前記混合調節弁が最大開度まで開弁した時点で、そのときの予熱温水に対する低温水の混合比率が予め定められた最低混合比率を下回っている場合は、その最低混合比率になるまで、前記混合調節弁を強制的に閉弁するようにしたことを特徴とする給湯システムを提供するものである。
【００１１】
以上のように、この給湯システムでは、給湯開始直後に、配管内に滞留していた固定温度を下回る予熱温水が混合調節弁に送出され始めると、混合調節弁が一旦最大開度まで開弁することになるが、最大開度まで開弁した時点で、そのときの予熱温水に対する低温水の混合比率が予め定められた最低混合比率を下回っている場合は、混合調節弁が最低混合比率になるまで即座に閉弁することになるので、その後に、固定温度以上の予熱温水が混合調節弁に送出されるようになった時点で混合調節弁が閉弁動作を行う際、目標混合比率まで短時間で閉弁することができる。
【００１２】
従って、低温水の供給圧と予熱温水の供給圧とが異なるために、混合調節弁の混合特性が、最大開度側において、弁開度の変化率に対する混合比率の変化率が小さく、しかも、最大開度まで開弁する前に最低混合比率を下回ってしまうような混合特性に変化したような場合や低温水の供給圧と予熱温水の供給圧とが同圧であってもそういった混合特性を示すような廉価な混合調節弁を使用した場合であっても、混合調節弁に送出される予熱温水の急激な温度上昇にもある程度追従することができ、給湯開始から給湯設定温度の温水を安定して出湯することが可能となる。
【００１３】
また、上記の課題を解決するため、請求項２にかかる発明は、補助熱源によって生成された予熱温水に、必要に応じて低温水を混合しながら、目標温度の温水を給湯器の熱交換器に送出する混合調節弁を備えた給湯システムにおいて、前記混合調節弁は、開弁するに従って予熱温水に対する低温水の混合比率が小さくなり、閉弁するに従って予熱温水に対する低温水の混合比率が大きくなるようになっており、前記混合調節弁は、制御タイミング毎に、その時点における予熱温水温度、低温水温度及び前記混合調節弁から送出されている温水の温度に基づいて、予熱温水に対する低温水の混合比率を算出すると共に、その時点における予熱温水温度、低温水温度及び目標温度に基づいて、予熱温水に対する低温水の目標混合比率を算出しながら、その目標混合比率になるように弁開度が制御されるようになっており、算出された目標混合比率が予め定められた最低混合比率を下回っている場合は、目標混合比率を最低混合比率に設定するようにしたことを特徴とする給湯システムを提供することにある。
【００１４】
以上のように、この給湯システムでは、給湯開始直後に、配管内に滞留していた固定温度を下回る予熱温水が混合調節弁に送出され始めると、その時点における予熱温水温度、低温水温度及び固定温度に基づいて、その時点における予熱温水に対する低温水の目標混合比率を算出するが、算出された目標混合比率が予め定められた最低混合比率を下回っている場合は、目標混合比率を最低混合比率に設定するようになっているので、低温水の供給圧と予熱温水の供給圧とが異なるために、混合調節弁の混合特性が、最大開度側において、弁開度の変化率に対する混合比率の変化率が小さく、しかも、最大開度まで開弁する前に最低混合比率を下回ってしまうような混合特性に変化したような場合や低温水の供給圧と予熱温水の供給圧とが同圧であってもそういった混合特性を示すような廉価な混合調節弁を使用した場合には、最大開度まで開弁することはなく、最低混合比率を下回る直前の開度までしか開弁しないので、その後に、固定温度以上の予熱温水が混合調節弁に送出されるようになった時点で混合調節弁が閉弁動作を行う際、目標混合比率まで短時間で閉弁することができる。従って、混合調節弁に送出される予熱温水の急激な温度上昇にもある程度追従することができ、給湯開始から給湯設定温度の温水を安定して出湯することが可能となる。
【００１５】
【発明の実施の形態】
以下、実施の形態について図面を参照して説明する。図１は、補助熱源として太陽熱を利用した給湯システム１の概略構成を示している。この給湯システム１は、同図に示すように、太陽熱利用温水器１０と給湯器２０とが接続されたものであり、太陽熱利用温水器１０によって生成された予熱温水が給湯器２０に送出されるようになっている。
【００１６】
前記太陽熱利用温水器１０は、ソーラー集熱器１１と密閉式の蓄熱槽１４とを備えており、蓄熱槽１４には、その下端部に低温水を供給するための給水管１５が接続されていると共に、上端部には貯留された予熱温水を給湯器２０に送出するための予熱温水供給管１６が接続されている。
【００１７】
前記ソーラー集熱器１１には、その入口側と出口側とを接続するソーラー配管１２によって熱媒体の循環経路が形成されており、このソーラー配管１２は、部分的に蓄熱槽１４内に導入された熱交換部１３を有している。従って、ソーラー集熱器１１によって加熱された熱媒体は、ソーラー配管１２を通って蓄熱槽１４内に導かれ、熱交換部１３で蓄熱槽１４内の水と熱交換を行うことで、蓄熱槽１４内に温水が生成されるようになっている。
【００１８】
前記給湯器２０は、給水管１７を介して供給される低温水と蓄熱槽１４から予熱温水供給管１６を介して供給される予熱温水とを必要に応じて混合する、ステッピングモータによって開閉駆動される一軸式の混合調節弁２１と、混合調節弁２１の出口側に接続された、混合調節弁２１から送出される温水を必要に応じて加熱する熱交換器２２を有するメイン流路２３と、熱交換器２２をバイパスするように、メイン流路２３に接続されたバイパス流路２４とを備えており、バイパス流路２４には、熱交換器２２から送出される高温の温水に、混合調節弁２１から送出される比較的低温の温水を適宜混合することによって給湯設定温度Ｔｅの温水を生成するためのバイパス弁２４ａが設置されている。
【００１９】
また、給水管１７及び混合調節弁２１の温水出口側に接続されたメイン流路２３には、混合調節弁２１をバイパスするバイパス管２５が接続されており、このバイパス管２５には、通電状態でバイパス管２５の流路を遮断するダイヤフラム方式の電磁弁２５ａが設置されている。
【００２０】
また、混合調節弁２１に接続された予熱温水供給管１６、混合調節弁２１に接続された給水管１７、メイン流路２３におけるバイパス管２５の接続部の上流側及び熱交換器２２とバイパス流路２４の下流側接続部との間には、蓄熱槽１４から送出される予熱温水の温度（以下、予熱温水温度という。）Ｔｐを検出するための予熱温水温度センサ２６、混合調節弁２１に送出される低温水の温度（以下、低温水温度という。）Ｔｗを検出するための低温水温度センサ２７、混合調節弁２１から送出される温水の温度（以下、混合温水温度という。）Ｔｍを検出するための混合温水温度センサ２８及び熱交換器２２の出口温水温度を、熱交換器２２自体の温度（以下、熱交換器温度という。）Ｔｃとして検出する熱交換器温度センサ２９がそれぞれ設置されている。
【００２１】
また、給湯器２０には、シリアルインターフェースを介して、操作リモコン３０のコントローラ３０ａとの間で通信可能なコントローラ２０ａが搭載されており、これらのコントローラ２０ａ、３０ａが相互に連携をとりながら、給湯器２０の運転動作を統括的に制御している。
【００２２】
前記コントローラ２０ａには、予熱温水温度センサ２６、低温水温度センサ２７、混合温水温度センサ２８及び熱交換器温度センサ２９からの温度検出信号が入力されると共に、操作リモコン３０によって設定された給湯設定温度Ｔｅや運転スイッチ信号等が操作リモコン３０のコントローラ３０ａから送信されるようになっており、これらの温度検出信号及び給湯設定温度Ｔｅ等に基づいて、コントローラ２０ａが混合調節弁２１、バイパス弁２４ａ及び熱交換器２２を加熱するバーナー（図示せず）を制御するようになっている。
【００２３】
蓄熱槽１４から送出される予熱温水の温度、即ち、予熱温水温度センサ２６によって検出された予熱温水温度Ｔｐが給湯設定温度Ｔｅ以上の場合は、給湯器２０のバーナーを燃焼させなくても、低温水を適宜混合することによって給湯設定温度Ｔｅの温水を出湯することができるので、混合調節弁２１から送出される温水の温度、即ち、混合温水温度センサ２８によって検出される混合温水温度Ｔｍが目標温度である給湯設定温度Ｔｅになるように、混合調節弁２１の開度を調整する目標温度制御を行うようになっている。
【００２４】
一方、予熱温水温度Ｔｐが給湯設定温度Ｔｅより低い場合は、給湯器２０のバーナーを燃焼させなければ、給湯設定温度Ｔｅの温水を出湯することができないので、給湯器２０のバーナーを燃焼させることによって、確実に給湯設定温度Ｔｅの温水を生成することができるように、目標温度である給湯設定温度Ｔｅ−１０℃（以下、固定温度Ｔｆという）の温水が熱交換器２２に送出されるように、混合調節弁２１の開度を調整して低温水を混合する目標温度制御を行うようになっている。
【００２５】
この場合、給湯器２０のバーナーは、熱交換器温度センサ２９によって検出される熱交換器温度Ｔｃが給湯設定温度Ｔｅ＋１２℃になるように、その燃焼制御を行うようになっており、バイパス弁２４ａは、熱交換器２２から送出される給湯設定温度Ｔｅ＋１２℃の温水と、バイパス流路２４を通って供給される固定温度Ｔｆの温水とを適宜混合することによって、給湯設定温度Ｔｅの温水を生成する出湯温度制御を行うようになっている。
【００２６】
前記混合調節弁２１は、開弁するに従って予熱温水に対する低温水の混合比率Ｐが小さくなり、閉弁するに従って予熱温水に対する低温水の混合比率Ｐが大きくなるようになっており、混合調節弁２１を駆動しているステッピングモータは、０ステップから１０５０ステップまで駆動することで、混合調節弁２１を全閉、全開させるようになっている。
【００２７】
この混合調節弁２１は、低温水の供給圧と予熱温水の供給圧とが略同圧である場合に、図２に実線で示すように、予熱温水に対する低温水の混合比率Ｐが混合調節弁２１を駆動するステッピングモータのステップ数、即ち、弁開度に対して略リニアに変化する混合特性を示すようになっており、この混合特性を示す状態において、混合比率Ｐが最低混合比率Ｐｍｉｎ（この場合、０．０３）を下回らないように、ステッピングモータの最大ステップ数（この場合、８００）、即ち、最大開度が設定されていると共に、混合比率Ｐが最大混合比率Ｐｍａｘ（この場合、１９）を上回らないように、ステッピングモータの最小ステップ数（この場合、０）、即ち、最小開度が設定されている。
【００２８】
混合調節弁２１が、上述した目標温度制御を行う場合は、制御タイミング（この場合、１００ｍｓ）毎に、その時点で検出された予熱温水温度Ｔｐ、低温水温度Ｔｗ及び混合温水温度Ｔｍから、数１に示す演算式に従って、その時点における、予熱温水に対する低温水の混合比率Ｐを算出すると共に、その時点で検出された予熱温水温度Ｔｐ、低温水温度Ｔｗ及び給湯設定温度Ｔｅや固定温度Ｔｆといった目標温度から、数２に示す演算式に従って、目標温度の温水を生成するために必要な予熱温水に対する低温水の目標混合比率Ｐｏを算出し、この目標混合比率Ｐｏになるように、混合調節弁２１の開度を調整することになるが、混合調節弁２１が、上述した最大開度まで開弁した時点で、そのときの予熱温水に対する低温水の混合比率Ｐが最低混合比率Ｐｍｉｎを下回っている場合は、その最低混合比率Ｐｍｉｎになるまで、混合調節弁２１を強制的に閉弁するようになっている。
【００２９】
【数１】
2004037053.tif 000003
【００３０】
【数２】
2004037053.tif 000004
【００３１】
以上のように、この給湯システム１では、混合調節弁２１が最大開度まで開弁した時点で、そのときの混合比率Ｐが最低混合比率Ｐｍｉｎを下回っている場合は、その最低混合比率Ｐｍｉｎになるまで、混合調節弁２１を強制的に閉弁するようになっているので、例えば、低温水の供給圧と予熱温水の供給圧とが異なるために、混合調節弁２１の混合特性が、図２に一点鎖線で示すように、最大開度側において、ステッピングモータのステップ数の変化率（弁開度の変化率）に対する混合比率Ｐの変化率が小さく、最大開度まで開弁する前に最低混合比率Ｐｍｉｎを下回ってしまうような混合特性に変化しており、しかも、蓄熱槽１４には固定温度Ｔｆ以上で給湯設定温度Ｔｅを下回る予熱温水が貯留されているが、予熱温水供給管１６に滞留している予熱温水が固定温度Ｔｆを下回る温度状態まで低下している場合において、給湯を開始すると、まず、予熱温水供給管１６内に滞留していた固定温度Ｔｆを下回る予熱温水が混合調節弁２１に送出され始めるので、混合調節弁２１が、固定温度Ｔｆの温水を生成しようとして、一旦最大開度まで開弁することになるが、最大開度まで開弁した時点における混合比率Ｐは最低混合比率Ｐｍｉｎを下回ることになるので、混合調節弁２１が最低混合比率Ｐｍｉｎになるまで即座に閉弁することになる。
【００３２】
その後に、蓄熱槽１４に貯留されていた固定温度Ｔｆ以上の予熱温水が混合調節弁２１に送出され始めると、混合調節弁２１が、固定温度Ｔｆの温水を生成しようとして、閉弁動作を開始することになるが、その時点では、混合調節弁２１が、最低混合比率Ｐｍｉｎの開度まで既に閉弁されているので、最大開度から目標混合比率まで閉弁させなければならない従来の給湯システムに比べて、混合調節弁２１を目標混合比率Ｐｏまで短時間で閉弁させることができる。
【００３３】
従って、この給湯システム１では、混合調節弁２１の混合特性が変化しているような場合であっても、予熱温水の急激な温度上昇に対して、混合調節弁２１の閉弁動作をある程度追従させることができ、給湯開始から給湯設定温度Ｔｅの温水を安定して出湯することが可能となる。
【００３４】
なお、上述した実施形態では、混合調節弁２１を一旦最大開度まで開弁させ、そのときの混合比率Ｐが最低混合比率Ｐｍｉｎを下回っている場合は、その最低混合比率Ｐｍｉｎになるまで、混合調節弁２１を強制的に閉弁させるようになっているが、これに限定されるものではなく、混合調節弁２１が目標温度制御を行っているときに算出された目標混合比率Ｐｏが最低混合比率Ｐｍｉｎを下回っているような場合は、目標混合比率Ｐｏを最低混合比率Ｐｍｉｎに設定したり、算出された目標混合比率Ｐｏが最低混合比率Ｐｍｉｎを下回っているような場合であっても、最低混合比率Ｐｍｉｎを下回る弁開度まで開弁しないように、混合調節弁２１の開弁動作を制限したりすることによって、混合調節弁２１の混合特性が変化したような場合には、混合調節弁２１を最大開度まで開弁させないようにすることも可能である。
【００３５】
また、上述した実施形態では、低温水の供給圧と予熱温水の供給圧とが略同圧である場合に、弁開度に対して混合比率が略リニアに変化する混合特性を示す混合調節弁を使用した給湯システムについて説明したが、これに限定されるものではなく、低温水の供給圧と予熱温水の供給圧とが同圧であっても、略リニアな混合特性を示さないような廉価な混合調節弁を使用した場合についても、本発明が有効であることはいうまでもない。
【００３６】
また、上述した実施形態では、混合調節弁２１が固定温度制御を行う場合の目標温度である固定温度Ｔｆを、給湯設定温度Ｔｅ−１０℃に設定しているが、これに限定されるものではなく、例えば、給湯設定温度Ｔｅが６０℃以上、６０℃未満３５℃以上、３５℃未満に場合分けし、６０℃以上の場合は４５℃、６０℃未満３５℃以上の場合は３０℃、３５℃未満の場合は２５℃といった具合に、給湯設定温度Ｔｅに応じて、固定温度Ｔｆを段階的に設定することも可能である。
【００３７】
また、上述した実施形態では、混合調節弁２１が組み込まれた給湯器２０を使用した給湯システムについて説明したが、これに限定されるものではなく、混合調節弁を有する給湯接続ユニットを介して、太陽熱利用温水器と通常の給湯器とを接続した給湯システムについても、本発明を適用することができることはいうまでもない。
【００３８】
また、上述した実施形態では、補助熱源が太陽熱である給湯システムについて説明したが、補助熱源はこういった太陽熱に限定されるものではなく、例えば、コージェネレーションシステムにおけるガスエンジンやガスタービンの排熱を補助熱源とした給湯システムのように、種々の補助熱源を使用した給湯システムについて、本発明を適用することができることはいうまでもなく、特に、低温水の供給圧と予熱温水の供給圧とが通常異なるような給湯システムの場合に、本発明が有効である。
【図面の簡単な説明】
【図１】この発明にかかる給湯システムの一実施形態を示す概略構成図である。
【図２】同上の給湯システムに使用されている給湯器に搭載された混合調節弁の混合特性を示す図である。
【符号の説明】
１　給湯システム
１０　太陽熱利用温水器
１４　蓄熱槽
１５、１７　給水管
１６　予熱温水供給管
２０　給湯器
２０ａ　コントローラ
２１　混合調節弁
２２　熱交換器
２３　メイン流路
２４　バイパス流路
２４ａ　バイパス弁
２５　バイパス管
２５ａ　電磁弁
２６　予熱温水温度センサ
２７　低温水温度センサ
２８　混合温水温度センサ
２９　熱交換器温度センサ
３０　操作リモコン
３０ａ　コントローラ
【図１】
2004037053.tif 000005
【図２】
2004037053.tif 000006